【手続補正書】
【提出日】平成22年4月30日(2010.4.30)
【手続補正１】
【補正対象書類名】特許請求の範囲
【補正対象項目名】全文
【補正方法】変更
【補正の内容】
【特許請求の範囲】
【請求項１】
逆方向チャネルを要求しないサービスをユーザに提供することを可能にするネットワークに接続されるのに適したユーザ端末（３−ｊ）によって使用される周波数帯を制御するデバイス（Ｄ）であって、前記ネットワークは周波数複信（ＦＤＤ）ネットワークであり、また、少なくとも、データ・フレームの送信に専用である第１タイプの周波数ブロックの１つのセットおよび前記第１タイプと異なる第２タイプの周波数ブロックの１つのセットを有し、前記デバイスは、
ｉ）前記第１タイプの周波数ブロックで前記ユーザ端末によって受信されるシグナリング情報の少なくとも１つのアイテムを解析する手段と、
ｉｉ）前記第２タイプの周波数ブロックでサービスの提供を知らせるシグナリング情報のアイテムを前記解析する手段が検出したときに起動して、前記第２タイプの周波数ブロックで前記第１タイプのデータ・フレームを受信することが可能な切換え手段とを備えることを特徴とするデバイス。
【請求項２】
前記切換え手段（ＭＣ）は、
前記第２タイプの周波数ブロックへの切換えの前に、前記ユーザ端末（３−ｊ）のユーザが前記サービスにアクセスすることを提案し、
ユーザが合意するときには、前記ユーザ端末（３−ｊ）に対して切換え命令をアドレス指定する、ように構成されることを特徴とする請求項１に記載のデバイス。
【請求項３】
前記切換え手段（ＭＣ）は、
前記ユーザ端末（３−ｊ）上で、入来する通信を知らせるシグナリング情報のアイテムを前記第２タイプの前記周波数ブロックで検出するときには、前記ユーザが前記入力される通信を受信することが提案され、そして、
前記ユーザが合意するときには、前記第１タイプの前記周波数ブロックに切換えるよう前記ユーザ端末（３−ｊ）に命令する、よう構成され、それにより、前記ユーザ端末（３−ｊ）は、前記第１タイプの前記周波数ブロックで前記入来する通信を始動するために接続をセットアップする要求を行うことができることを特徴とする請求項１または２に記載のデバイス。
【請求項４】
前記切換え手段ＭＣは、前記ユーザ端末（３−ｊ）が発出する通信をセットアップしようと試みるときには、前記第１タイプの前記周波数ブロックに切換えるように前記ユーザ端末（３−ｊ）に命令するよう構成され、それにより、前記ユーザ端末（３−ｊ）は、前記第１タイプの前記周波数ブロックで前記発出する通信を始動するために接続をセットアップする要求を行うことができることを特徴とする請求項１乃至３のいずれか１項に記載のデバイス。
【請求項５】
逆方向チャネルを要求しないサービスをユーザに提供することを可能にするネットワークに接続するのに適した周波数複信送受信機（ＥＲ２）を備えるユーザ端末（３−ｊ）であって、前記ネットワークは周波数複信ネットワークであり、また、少なくとも、データ・フレームの送信に専用である第１タイプの周波数ブロックの１つのセットおよび前記第１タイプと異なる第２タイプの周波数ブロックの１つのセットを有し、前記ユーザ端末は、請求項１乃至４のいずれか１項に記載の制御デバイス（Ｄ）を備えることを特徴とするユーザ端末。
【請求項６】
逆方向チャネルを要求しないサービスをユーザに提供することを可能にするネットワーク用の基地局コントローラ（２−ｋ）であって、前記ネットワークは周波数複信ネットワークであり、また、少なくとも、データ・フレームの送信に専用である第１タイプの周波数ブロックの１つのセットおよび前記第１タイプと異なる第２タイプの周波数ブロックの１つのセットを有し、前記基地局コントローラは、前記情報アイテムが第１タイプの周波数ブロックでシグナリング・メッセージで送信されるように、前記第２タイプの周波数ブロックでサービスの提供を知らせるシグナリング情報を生成するよう構成された管理手段（ＭＧ）を備えることを特徴とする基地局コントローラ。
【請求項７】
逆方向チャネルを要求しないサービスをユーザに提供することを可能にするネットワーク用の基地局（１−ｉ）であって、前記ネットワークは周波数複信ネットワークであり、また、少なくとも、データ・フレームの送信に専用である第１タイプの周波数ブロックの１つのセットおよび前記第１タイプと異なる第２タイプの周波数ブロックの１つのセットを有し、前記基地局は、基地局コントローラから発生する命令に応じて、前記第１タイプの周波数ブロックか、または、前記第２タイプの周波数ブロックで前記第１タイプのデータ・フレームを送信するよう構成されることを特徴とする基地局。
【請求項８】
逆方向チャネルを要求しないサービスをユーザに提供することを可能にするネットワークに接続されるのに適したユーザ端末（３−ｊ）によって使用される周波数帯を制御する方法であって、前記ネットワークは周波数複信ネットワークであり、また、少なくとも、データ・フレームの送信に専用である第１タイプの周波数ブロックの１つのセットおよび前記第１タイプと異なる第２タイプの周波数ブロックの１つのセットを有し、前記方法は、
ｉ）前記第１タイプの周波数ブロックで前記ユーザ端末（３−ｊ）によって受信されるシグナリング情報の少なくとも１つのアイテムを解析するステップと、
ｉｉ）前記第２タイプの前記周波数ブロックでサービスの提供を知らせるシグナリング情報のアイテムを検出したときには、前記第２タイプの周波数ブロックに切換えて、前記第２タイプの周波数ブロックで前記第１タイプのデータ・フレームを受信するように、前記ユーザ端末に命令するステップを含むことを特徴とする方法。
【請求項９】
前記第２タイプの周波数ブロックへの前記切換えを命令する前に、前記第２タイプの前記周波数ブロックで提供されるサービスにアクセスすることを前記ユーザ端末（３−ｊ）のユーザに提案し、ユーザが合意しない限り、前記ユーザ端末（３−ｊ）は切換わらないことを特徴とする請求項８に記載の方法。
【請求項１０】
前記ユーザ端末（３−ｊ）上で、入来する通信を知らせるシグナリング情報のアイテムを前記第２タイプの前記周波数ブロックで検出するときには、前記入力される通信を受信することが前記ユーザに提案され、前記ユーザが合意するときには、前記ユーザ端末（３−ｊ）は、前記第１タイプの前記周波数ブロックに切換えて、前記第１タイプの前記周波数ブロックで前記入力される通信を始動するために接続をセットアップする要求を行うことができることを特徴とする請求項８または９に記載の方法。
【請求項１１】
アップリンク上で、前記ユーザ端末（３−ｊ）が発出する通信をセットアップしようと試みるときには、前記ユーザ端末（３−ｊ）は、前記第１タイプの前記周波数ブロックに切換えて、前記第１タイプの前記周波数ブロックで前記発出する通信を始動するために接続をセットアップする要求を行うことができることを特徴とする請求項８乃至１０のいずれか１項に記載の方法。
【請求項１２】
前記ネットワークは、前記第２タイプの周波数ブロックでサービスの提供を知らせるシグナリング情報のアイテムを含むシグナリング・メッセージを、前記第１タイプの周波数ブロックで、いくつかのユーザ端末（３−ｊ）に送信し、その後、前記ネットワークは、前記サービスのデータおよびシグナリング情報のアイテムを含むデータ・フレームを、前記第２タイプの周波数ブロックで、前記ユーザ端末（３−ｊ）に送信することを特徴とする請求項８乃至１１のいずれか１項に記載の方法。
【請求項１３】
ＭＢＭＳタイプのブロードキャスト・サービス用の、請求項１乃至１２のいずれか１項に記載の、前記制御デバイスＤ、前記ユーザ端末（３−ｊ）、前記基地局コントローラ（２−ｋ）、前記基地局（１−ｉ）、および前記制御方法の使用。